(57)【要約】　　　（修正有）【課題】発光ダイオードで自然光に近い面光源とした脳波刺激装置の発光体を提供する。【解決手段】光の三原色である緑、青、赤系の高輝度発光ダイオード３を光源とし、当該光源からの光を導光板１によって面光源とした高輝度で小型軽量化が可能な脳波刺激装置の面発光体。導光板１の平面形状は方形が望ましい。発光面にはピット２が設けられている。反射面はブラスト処理が施されている。面発光体は眼鏡状のゴーグルに装着できる。【選択図】　図１
2004041399.tif 000002
【特許請求の範囲】
【請求項１】
光源と、導光板とを備えた面発光体であって、前記導光板は反射面と、発光面とを有し、前記光源からの光が前記導光板内を通り、前記反射面で反射して発光面を発光させることを特徴とした面発光体。
【請求項２】
前記光源は発光ダイオードであり、赤、緑、青系を含んで３つ以上ある請求項１に記載の面発光体。
【請求項３】
前記導光板の前記反射面にはブラスト処理が施されている請求項１又は２に記載の面発光体。
【請求項４】
前記導光板の前記反射面には反射板が取付けられている請求項１乃至３のいずれかに記載の面発光体。
【請求項５】
請求項１乃至４のいずれかに記載の面発光体において、前記導光板と、前記発光ダイオードとが基板に固定され、前記基板には前記発光ダイオードを一定の周期で発光させるための電気回路があり、当該電気回路に前記発光ダイオードが接続されている面発光体。
【請求項６】
請求項５に記載の面発光体を眼鏡状のゴーグルに装着したことを特徴とする脳波刺激装置。
【発明の詳細な説明】
【０００１】
【発明が属する技術分野】
本発明は目蓋に光を照射して光刺激をおこなう脳波刺激装置に関し、特に発光ダイオードを光源とし、自然光に近い面発光によって光刺激をおこなう脳波刺激装置に関する。
【０００２】
【従来の技術】
一般に光を目蓋に照射する脳波刺激装置は、光源を有する眼鏡状のゴーグルを装着し、プログラムされた光の点滅によって、網膜に多彩な色の連続した抽象模様を残し、脳波を誘導しようとするものである。この光源に従来は白熱電球や赤色或いは緑色発光ダイオード、蛍光管等が用いられてきた。一般に脳波刺激装置の光源は面光源であることと自然光源であることが望ましい。
【０００３】
光源に白熱電球を用いたものは発熱量が大きくまた寿命も短い。またプログラムに対する応答速度も低く面光源も自然光源に近いとはいえない。又、光源に発光ダイオードを用いたものについても熱や寿命は問題ないが輝度が低く、単色光で点光源という面で脳波刺激装置には不十分であった。さらに光源に蛍光管を用いたものは面光源であり輝度や色調も十分であるがガラス管のために形状が大きく重いという欠点があった。
【０００４】
一方で、特開平１０−２１１２８５号には有機エレクトロルミネッセンス素子（有機ＥＬ素子）を用いた光刺激装置及びこれを用いた脳波誘導装置について提案されており、面光源である光刺激装置が開示されている。
【０００５】
【発明が解決しようとする課題】
白熱電球、蛍光管については上述したような問題があり、特開平１０−２１１２８５号の有機ＥＬ素子を用いた光刺激装置については、ゴーグルの内側略全体に有機ＥＬ素子を接着配備するので高価であり、製造も容易ではない。さらにフルカラーにする場合にも製造が難しい。
【０００６】
一方で、近年発光ダイオードの進歩は目覚しく、輝度も高く色調の面でも脳波刺激装置の光源に適した緑や青色のものが安価にできるようになってきた。このことが色の組合せを可能にし、脳波刺激装置の光源として使用することが可能となった。しかしこれらの高輝度発光ダイオードを従来のように点光源として、目蓋への直接照射では組合せによる色の混合ができず、また輝度が高いため極めて危険であるといえる。
【０００７】
本願発明はこれらの課題を解決するためになされたものであり、発光ダイオードを光源とし、自然光に近い面発光によって光刺激をおこなう脳波刺激装置を提供することを目的とするものである。
【０００８】
【課題を解決するための手段】
本発明は、光源と、導光板とを備えた面発光体であって、当該導光板は反射面と、発光面とを有し、光源からの光が導光板内を通り、反射面で反射して発光面を光らせる面発光体である。
【０００９】
本発明の発光ダイオードは高輝度発光ダイオードであることが好ましく、発光ダイオードは導光板の反射面、発光面ではない端面に十分な輝度と色の混合が可能なように複数個配置されているのがよい。フルカラーにするには光源を３つ以上として、当該３つ以上の発光ダイオードは赤、緑、青系を含むものとする。
【００１０】
上記反射面は光源からの光を反射して発光面に導く導光板の面であるが、この反射面は、くもりガラス状に処理（本発明では「ブラスト処理」とする）を施すことができ、反射面には反射板を取付けて反射面を覆うことができる。
【００１１】
さらに上記導光板と、上記発光ダイオードとを基板に固定し、当該基板に発光ダイオードを一定の周期で発光させるための電気回路を設けて、当該電気回路に発光ダイオードを接続することができる。
【００１２】
そして上記の本発明の面発光体を眼鏡状のゴーグルに装着して脳波刺激装置を形成することができる。
【００１３】
【発明の実施の形態】
以下本発明の実施の形態について説明する。本発明の面発光体は、光源と、導光板とを備えている。光源は、光の三原色である緑、青、赤系の発光ダイオードを組合せたものにすることによってフルカラーで自然光に近い発光を実現することができる。発光ダイオードは高輝度、好ましくは輝度４００ｍｃｄ以上のものである。尚、本発明の面発光体は、導光板等を用いることでフルカラーの面発光体を得るものであるから、光源には有機ＥＬ素子を用いても本発明と同様の効果を得ることは可能である。
【００１４】
導光板は反射面と、発光面とを有しており、導光板の反射面、発光面ではない端面に配置される光源からの光は、導光板の中を通って反射面で反射して発光面が光り、当該光が目蓋に照射されて脳波を刺激する。導光板及び発光ダイオードは基板に固定することができ、基板には発光ダイオードを一定の周期で発光することができるように電気回路を組込んで当該電気回路に発光ダイオードを接続することができる。導光板はガラスに近い透明率をもち硬度も高いアクリル樹脂がよいが、その他の樹脂やガラス等を用いてもよい。
【００１５】
導光板の反射面にブラスト処理を施せば光源からの光が乱反射するので、光が混合されて発光面全体が均等に光る。さらに反射面に反射板を設けるならば、反射面から光の透過を防ぐことができて発光面から効率良く光が得られる。反射板とブラスト処理を組合せれば、面発光体は、ブラスト処理によって乱反射して反射面から透過した光をも反射板によって反射して発光面に導くことができるので光源から照射される光を効率良く導光板表面全体に導き面発光させることができる。
【００１６】
本発明の面発光体を眼鏡状のゴーグルに着装することについては既存の方法でおこなうことができるが、本発明は光源を発光ダイオードにしたことに伴い、高輝度で小型軽量な脳波刺激装置を安価且つ容易に得ることができる。
【００１７】
【実施例】
以下本発明の一実施例について図面を用いて説明する。図１は本発明の一実施例である面発光体を導光板１の発光面より見た平面図を示している。導光板１の平面形状は方形が望ましく、本実施例は長方形である。導光板１において発光面５の一方の短辺側（図中右側）の面には発光ダイオード３の位置を固定するためのピット２が複数個設けられており、ここより発光ダイオード３の光が導光板１の中に入る。ピット２は取付けられる発光ダイオードの個数と同数設けられる。尚、本実施例では発光ダイオード３を３個使用しており、それぞれ緑、青、赤系である。複数の発光ダイオードの配列については特に限定されない。導光板１と発光ダイオード３は基板４に固定されている。
【００１８】
図２は図１の面発光体を側面からみた側面図を示している。図示されるように導光板１の側面は、発光ダイオード３の取付けられている面側の辺が下底となるような略台形状である。又、発光ダイオード３の取付けられている面と、発光面５とは互いに対して９０度の角度をなしている。さらに、導光板１の底面は発光ダイオード３の取付けられている面からその向合う面に向かって傾斜している。この形状によって発光ダイオードからの光が反射面で反射して発光面５が光るようになっている。底面全体は反射面であってブラスト処理がなされており（ブラスト処理された反射面を符号６で示しており、以下「ブラスト処理面６」とする）、さらに反射板７で覆われている。発光ダイオード３からの入射光はブラスト処理面６で散乱し、一部の光は直接発光面５へ反射し、一部の光は反射板７で反射して発光面５を光らせる。
【００１９】
【発明の効果】
本発明により、発光ダイオードを用いた安価で製造容易な面発光体が得られる。又、本発明は光の三原色である緑、青、赤系の高輝度発光ダイオードを光源にすることにより、フルカラーの自然光に近い光を得ることができる。さらに導光板を用い反射面にブラスト処理を施すことにより、光が混合された状態で発光面全体が光る面発光が得られる。反射板は特に反射面にブラスト処理を施した時に反射光を効率良く反射面に導くことができる。
【００２０】
本発明においては発光ダイオードを用いるので小型軽量化が可能な面発光体及び脳波刺激装置を安価且つ容易に得ることができる。
【図面の簡単な説明】
【図１】本発明の面発光体における一実施例の正面図。
【図２】図１の実施例を側面から見た側面図。
【符号の説明】
１　　導光板
２　　ピット
３　　発光ダイオード
４　　基板
５　　発光面
６　　ブラスト処理面
７　　反射板
【図１】
2004041399.tif 000003
【図２】
2004041399.tif 000004